(57)【要約】【課題】費用や作業の負担を抑えてＡＲ技術を利用することができるとともに、多くのユーザにＡＲコンテンツを拡散することができる。【解決手段】撮像部１０６は現実空間の映像を撮像し、入力部１０５は現実空間に存在する起因コンテンツを含むデータを取得し、プロモーション情報取得部２０２はデータに含まれる起因コンテンツに対応付けられたプロモーション情報を拡張現実情報記憶部２１０から取得し、画面生成部１０２は取得したプロモーション情報から仮想コンテンツと、紹介ページに対応する紹介メニュー、クーポンページに対応するクーポンメニュー、フォームページに対応するフォームメニュー、外部リンクまたは外部リンクページに対応する外部リンクメニューの少なくとも１つを含むプロモーション画面を生成し、表示制御部１０３はプロモーション画面を表示部１０４に表示するよう制御する。【選択図】図１
2020198102.tif 000002
【特許請求の範囲】
【請求項１】
通信ネットワークを介して接続された情報端末装置から、撮像された現実空間に存在する起因コンテンツを受信したことに応じて、前記情報端末装置において、前記起因コンテンツに対応付けられた仮想コンテンツを表示し、お勧めのプロモーション情報を選択する選択画面を表示するためのデータを、前記情報端末装置に送信する手段を備えるサーバ装置。
【請求項２】
通信ネットワークを介して接続された情報端末装置から、撮像された現実空間に存在する起因コンテンツを受信したことに応じて、前記情報端末装置において、前記起因コンテンツに対応付けられた仮想コンテンツと、シェアメニューとを表示し、前記シェアメニューから選択されたシェア用アプリケーションの指示を受付けるためのデータを、前記情報端末装置に送信する手段と、
前記情報端末装置において、前記シェア用アプリケーションの指示を受付けたことに応じて、前記情報端末装置において、プロモーションページの格納先である前記プロモーションページのＵＲＬを含むシェア情報を前記シェア用アプリケーションに送信するためのデータを、前記情報端末装置に送信する手段と、を備えるサーバ装置。
【請求項３】
前記シェア情報を受信した情報端末装置において、前記プロモーションページのＵＲＬを指示することによって前記起因コンテンツを含むプロモーションページを表示し、表示した前記プロモーションページに含まれる前記起因コンテンツを指示することによって、前記起因コンテンツに対応する仮想コンテンツを含むプロモーション画面を表示する請求項２に記載のサーバ装置。
【請求項４】
前記プロモーションページに含まれる前記起因コンテンツは、ボタンやテキストである請求項２又は３に記載のサーバ装置。
【請求項５】
前記シェア用アプリケーションは、ソーシャルメディア、メッセージアプリケーション、メールアプリケーションのいずれかである請求項２〜４のうちの１つに記載のサーバ装置。
【請求項６】
前記サーバ装置は、プロモーション情報として、紹介ページ、クーポンページ、フォームページ、外部リンクまたは外部リンクページに対応する外部リンクメニューの少なくとも１つを記憶し、
前記紹介ページ、前記クーポンページ、前記フォームページ、前記外部リンクメニューの少なくとも１つを含むプロモーション画面を生成するために、前記プロモーション情報を前記情報端末装置に送信する請求項１〜５のうちの１つに記載のサーバ装置。
【請求項７】
前記起因コンテンツは、平面物、立体物、動作、動画、音声、位置情報のうちの１つ、または、組合せであり、
前記起因コンテンツを含むデータは、静止画データ、動画データ、音声データ、位置情報データである請求項１〜６のうちの１つに記載のサーバ装置。
【請求項８】
前記情報端末装置は、
前記プロモーション画面に含まれる前記仮想コンテンツを再生した場合に、前記仮想コンテンツを含むプロモーション情報を記憶する履歴情報記憶手段と、
前記履歴情報記憶手段に記憶された前記プロモーション情報を選択する選択画面を生成する画面生成手段と、をさらに備え、
前記画面生成手段によって生成した前記選択画面を表示部に表示するよう制御する請求項３〜７のうちの１つに記載のサーバ装置。
【請求項９】
サーバ装置が、通信ネットワークを介して接続された情報端末装置から、撮像された現実空間に存在する起因コンテンツを受信したことに応じて、前記情報端末装置において、前記起因コンテンツに対応付けられた仮想コンテンツを表示し、前記仮想コンテンツを表示した後にお勧めのプロモーション情報を選択する選択画面を表示するためのデータを、前記情報端末装置に送信するステップを含む情報提示方法。
【請求項１０】
サーバ装置が、通信ネットワークを介して接続された情報端末装置から、撮像された現実空間に存在する起因コンテンツを受信したことに応じて、前記情報端末装置において、前記起因コンテンツに対応付けられた仮想コンテンツと、シェアメニューとを表示し、前記シェアメニューから選択されたシェア用アプリケーションの指示を受付けるためのデータを、前記情報端末装置に送信するステップと、
前記情報端末装置において、前記シェア用アプリケーションの指示を受付けたことに応じて、前記情報端末装置において、プロモーションページの格納先である前記プロモーションページのＵＲＬを含むシェア情報を前記シェア用アプリケーションに送信するためのデータを、前記情報端末装置に送信するステップと、を含む情報提示方法。
【請求項１１】
請求項９または請求項１０に記載した情報提示方法をコンピュータに実行させることを特徴とする情報提示プログラム。
【発明の詳細な説明】
【技術分野】
【０００１】
本発明は、情報提示装置、情報提示システム、情報提示方法および情報提示プログラムに関する。
【背景技術】
【０００２】
近年、拡張現実（ＡＲ：Ａｕｇｍｅｎｔｅｄ  Ｒｅａｌｉｔｙ）を提供する技術として、現実空間には存在していない３次元画像を現実空間の映像に重畳してスマートフォン等の画面上に表示するアプリケーションプログラムがいくつかの企業から広告・宣伝ツールとして提供され、大きな話題と関心を集めている。このようなユーザの関心が高いＡＲ技術について、さらにユーザの関心を引き興味が継続するような工夫が考案され、その１つとして複数のマーカを撮像した場合にマーカの組合せによって異なるＡＲコンテンツの表示やボーナスポイントを付与する技術が開示されている（特許文献１参照）。
【先行技術文献】
【特許文献】
【０００３】
【特許文献１】特開２０１４−１２７１４８号公報
【発明の概要】
【発明が解決しようとする課題】
【０００４】
しかしながら、一般にＡＲ技術は、ＡＲコンテンツのデータやそのデータを処理するプログラムの作成に膨大な費用、時間がかかり、ＡＲ技術を利用しようとする企業の負担が大きかった。また、特許文献１に記載された技術を含めＡＲ技術は、マーカを撮像することでＡＲコンテンツを表示することが一般的なため、マーカを入手した数少ないユーザしかＡＲコンテンツを実行することができず、ＡＲコンテンツに含まれる広告宣伝したい内容を多くのユーザに拡散することが難しかった。
【０００５】
本発明は、上記に鑑みてなされたものであって、費用や作業の負担を抑えてＡＲ技術を利用することができるとともに、多くのユーザにＡＲコンテンツを拡散することができる情報提示装置、情報提示システム、情報提示方法および情報提示プログラムを提供することを目的とする。
【課題を解決するための手段】
【０００６】
上述した課題を解決するために、本発明では、サーバ装置は、現実空間に存在しない仮想コンテンツの再生の起因となる起因コンテンツと、プロモーション情報として、前記仮想コンテンツと、を対応付けて記憶するとともに、前記プロモーション情報に対応付けた、１または複数のお勧めのプロモーション情報を記憶する拡張現実情報記憶手段、を備え、情報端末装置は、現実空間の映像を撮像し、現実空間に存在する起因コンテンツを含むデータを取得し、取得したデータをサーバ装置に送信し、サーバ装置は、情報端末装置から送信されたデータを受信し、受信したデータに含まれる起因コンテンツに対応付けられたプロモーション情報を拡張現実情報記憶手段から取得し、取得したプロモーション情報を情報端末装置に送信し、情報端末装置は、プロモーション情報をサーバ装置から受信し、受信したプロモーション情報の仮想コンテンツを含むプロモーション画面を生成し、現実空間の映像に重畳して、生成したプロモーション画面を表示部に表示するよう制御し、プロモーション画面に含まれる仮想コンテンツを再生した後に、プロモーション情報に対応付けられたお勧めのプロモーション情報を選択する選択画面を生成し、生成した選択画面を表示部に表示するとともに、選択画面から選択されたお勧めのプロモーション情報を表示するよう制御することを特徴とする。
【０００７】
また、本発明の他の態様では、サーバ装置は、現実空間に存在しない仮想コンテンツの再生の起因となる起因コンテンツと、プロモーション情報として、仮想コンテンツと、を対応付けて記憶する拡張現実情報記憶手段、を備え、情報端末装置は、現実空間の映像を撮像し、現実空間に存在する起因コンテンツを含むデータを取得し、取得したデータをサーバ装置に送信し、サーバ装置は、情報端末装置から送信されたデータを受信し、受信したデータに含まれる起因コンテンツに対応付けられたプロモーション情報を拡張現実情報記憶手段から取得し、取得したプロモーション情報を情報端末装置に送信し、情報端末装置は、プロモーション情報をサーバ装置から受信し、受信したプロモーション情報の仮想コンテンツと、シェアメニューと、を含むプロモーション画面を生成し、現実空間の映像に重畳して、生成したプロモーション画面を表示部に表示するよう制御し、シェアメニューから選択されたシェア用アプリケーションプログラムの指示を受付け、シェア用アプリケーションプログラムの指示を受付けた場合に、起因コンテンツを含むプロモーションページの生成指示をサーバ装置に送信し、サーバ装置は、情報端末装置からプロモーションページの生成指示を受信した場合に、プロモーションページを生成し、生成したプロモーションページを記憶部に格納し、格納したプロモーションページの格納先であるプロモーションページのＵＲＬを送信し、情報端末装置は、プロモーションページのＵＲＬを受信し、受信したプロモーションページのＵＲＬを含むシェア情報をシェア用アプリケーションプログラムに送信することを特徴とする。ここで、シェア用アプリケーションとは、プロモーションページのリンク情報を他者に伝達するために用いることができるアプリケーションのことを言う。
【０００８】
また、本発明の他の態様では、シェア情報を受信した情報端末装置において、プロモーションページのＵＲＬを指示することによって起因コンテンツの画像データを含むプロモーションページを表示し、表示したプロモーションページに含まれる起因コンテンツの画像データを指示することによって、起因コンテンツに対応する仮想コンテンツを含むプロモーション画面を表示することを特徴とする。
また、本発明の他の態様では、プロモーションページに含まれる起因コンテンツの画像データに代えて、ボタンやテキストであることを特徴とする。
【０００９】
また、本発明の他の態様では、シェア用アプリケーションプログラムは、ソーシャルメディア、メッセージアプリケーション、メールアプリケーションであることを特徴とする。
また、本発明の他の態様では、拡張現実情報記憶手段は、プロモーション情報として、さらに紹介ページ、クーポンページ、フォームページ、外部リンクまたは外部リンクページに対応する外部リンクメニューの少なくとも１つを記憶し、紹介ページ、クーポンページ、フォームページ、外部リンクメニューの少なくとも１つを含むプロモーション画面を生成することを特徴とする。
【００１０】
また、本発明の他の態様では、起因コンテンツは、平面物、立体物、動作、動画、音声、位置情報のうちの１つ、または、組合せであり、取得されるデータは、静止画データ、動画データ、音声データ、位置情報データであることを特徴とする。
また、本発明の他の態様では、情報端末装置は、プロモーション画面に含まれる仮想コンテンツを再生した場合に、仮想コンテンツを含むプロモーション情報を記憶する履歴情報記憶手段、を備え、履歴情報記憶手段に記憶されたプロモーション情報を選択する選択画面を生成し、生成した選択画面を表示部に表示するよう制御することを特徴とする。
【発明の効果】
【００１１】
上記のように構成した本発明によれば、費用や作業の負担を抑えてＡＲ技術を利用することができるとともに、多くのユーザにＡＲコンテンツを拡散することができるという効果を奏する。
【図面の簡単な説明】
【００１２】
【図１】実施形態の情報提示システム１０の構成を示すブロック図である。
【図２】拡張現実情報記憶部２１０のデータ構成の一例を示す説明図である。
【図３】情報端末装置１００によって起因コンテンツを取得する状況の一例を示す説明図である。
【図４】情報端末装置１００に表示する表示画面の一例を示す説明図である。
【図５】情報端末装置１００とサーバ装置２００が実行する情報提示処理手順を示すフローチャートである。
【図６】情報端末装置１００に表示するお勧めコンテンツの選択画面の一例を示す説明図である。
【図７】情報端末装置１００が実行する情報提示処理手順を示すフローチャートである。
【図８】情報端末装置１００に表示する履歴情報の選択画面の一例を示す説明図である。
【図９】情報端末装置１００とサーバ装置２００が実行するシェア情報生成処理手順を示すフローチャートである。
【図１０】サーバ装置２００で生成するプロモーションページの一例を示す説明図である。
【図１１】サーバ装置２００で生成する仮想コンテンツを含むプロモーションページの一例を示す説明図である。
【発明を実施するための形態】
【００１３】
以下に、本願にかかる情報提示装置、情報提示システム、情報提示方法および情報提示プログラムの実施形態について図面を参照しつつ詳細に説明する。なお、この実施形態により本願にかかる情報提示装置、情報提示システム、情報提示方法および情報提示プログラムが限定されるものではない。
【００１４】
図１は、実施形態の情報提示システム１０の構成を示すブロック図である。図１に示すように、情報提示システム１０は、情報端末装置１００とサーバ装置２００とをネットワークＮを介して接続している。ネットワークＮは、情報端末装置１００およびサーバ装置２００が相互に情報を送受信するためのインターネット、その他の通信回線である。
【００１５】
情報端末装置１００は、スマートフォンやタブレット型コンピュータ、パーソナルコンピュータその他ネットワークＮを介してサーバ装置２００にアクセス可能な端末装置であればどのような装置であってもよい。サーバ装置２００は、情報端末装置１００が送信したさまざまなリクエストに応じ、レスポンスを送信するいわゆるウェブサーバである。
【００１６】
まず、サーバ装置２００の機能、構成について説明する。サーバ装置２００は、拡張現実情報記憶部２１０、プロモーションページ記憶部２２０、送受信部２０１、プロモーション情報取得部２０２、プロモーションページ生成部２０３を備える。
【００１７】
図２は、拡張現実情報記憶部２１０のデータ構成の一例を示す説明図である。拡張現実情報記憶部２１０は、起因コンテンツ２２とプロモーション情報２３とを対応付けて記憶する。プロモーション情報２３は、仮想コンテンツ、紹介ページ、クーポンページ、フォームページ、外部リンクまたは外部リンクページを含む。さらに、プロモーション情報２３に対応付けて、仮想コンテンツを再生した後にお勧めコンテンツを表示するためのプロモーション情報であるお勧めのプロモーション情報２４を記憶する。拡張現実情報記憶部２１０は、上述したデータ構造の拡張現実情報２１を複数記憶する。お勧めのプロモーション情報２４のそれぞれのプロモーション情報は、仮想コンテンツ、紹介ページ、クーポンページ、フォームページ、外部リンクまたは外部リンクページを含む。
【００１８】
ここで、起因コンテンツとは、仮想コンテンツを再生するきっかけ（いわゆるマーカ）となるコンテンツであり、例えば、ポスター、名刺、カードのような平面に表されたイラスト、文字、記号、マーク等の平面物、３次元の物品、建築物等の立体物、ジェスチャー、手話のような動作、テレビ番組のような動画、音声、位置情報、またはそれらの組合せである。仮想コンテンツとは、情報端末装置１００が存在する現実空間に存在しないコンテンツであり、起因コンテンツが取得されたことをきっかけとして情報端末装置１００の出力装置によって再生されるコンテンツである。具体的には、２次元の静止画像、動画、３次元のコンピュータグラフィック映像、音声、文字情報等である。また、紹介ページは、仮想コンテンツに関連する情報や広告宣伝したい情報を紹介するページ、クーポンページは、割引情報、特典、応募資格等を表示するページ、フォームページは、お問合せフォーム、アンケートフォーム、応募フォーム、登録フォーム等を表示するページ、外部リンクは、ウェブページまたは外部アプリケーションプログラム（たとえばＦａｃｅｂｏｏｋ（登録商標）アプリ）へのリンク、外部リンクページは、外部アプリケーションプログラムにリンクするページである。
【００１９】
プロモーションページ記憶部２２０は、起因コンテンツと、起因コンテンツに対応付けて記憶されたプロモーション情報から生成されるプロモーションページを記憶する。プロモーションページとは、ソーシャルメディアのシェア機能を使用し、起因コンテンツをシェアするために生成するウェブページである。
【００２０】
送受信部２０１は、情報端末装置１００との間でデータを送受信する。具体的には、送受信部２０１は、情報端末装置１００から送信された起因コンテンツを含むデータ（以下、起因データという）を受信する。送受信部２０１は、起因データに含まれた起因コンテンツに対応するプロモーション情報を情報端末装置１００に送信する。
【００２１】
プロモーション情報取得部２０２は、情報端末装置１００から送信された起因データに含まれる起因コンテンツを拡張現実情報記憶部２１０から検索し、起因コンテンツが検索された場合、検索された起因コンテンツに対応付けられたプロモーション情報、およびプロモーション情報に対応付けられたお勧めのプロモーション情報を拡張現実情報記憶部２１０から取得する。
【００２２】
プロモーションページ生成部２０３は、ページ生成条件に従ってプロモーション情報からプロモーションページを生成し、プロモーションページ記憶部２２０に格納する。
【００２３】
次に、情報端末装置１００の機能、構成について説明する。情報端末装置１００は、履歴情報記憶部１１０、送受信部１０１、画面生成部１０２、表示制御部１０３、表示部１０４、入力部１０５、撮像部１０６、位置情報取得部１０７、スピーカ１０８、マイク１０９を備える。
【００２４】
送受信部１０１は、サーバ装置２００との間でデータを送受信する。具体的には、送受信部１０１は、起因データをサーバ２００に送信する。また、送受信部１０１は、サーバ２００から送信されたプロモーション情報を受信する。
【００２５】
撮像部１０６は、ＣＣＤやＣＭＯＳ等のイメージセンサを用いて映像を撮像する。具体的には、撮像部１０６は、現実空間の映像を撮像する。撮像部１０６は、ユーザの指示または自動スキャンによって起因コンテンツを含む映像を撮像し、画像（静止画または動画）データに変換する。
【００２６】
図３は、情報端末装置１００によって起因コンテンツを取得する状況の一例を示す説明図である。図３に示す例では、現実空間３１に存在する起因コンテンツ３２を情報端末装置１００の撮像部１０６によって撮像し、撮像された映像を表示画面３３に表示する。撮像部１０６は、撮像モードメニュー３４を指示した時、または任意のタイミングで表示画面３３に表示された映像をスキャンし、静止画の画像データに変換する。なお、起因コンテンツは、図３に示すポスターのような平面物のほか、立体物、動作、動画、音声、位置情報それぞれまたはそれらの組合せでもよいため、撮像部１０６によって取得される静止画データ、動画データ、マイク１０９によって取得される音声データ、位置情報取得部１０７によって取得される位置情報それぞれまたはそれらの組合せを起因データとしてもよい。履歴メニュー３５は、指示することにより履歴情報を表示するが、詳細は後述する。
【００２７】
画面生成部１０２は、サーバ装置２００から送信されたプロモーション情報に応じたプロモーション画面を生成する。プロモーション画面は、仮想コンテンツと、紹介ページへのリンクを記述した紹介メニュー、クーポンページへのリンクを記述したクーポンメニュー、フォームページへのリンクを記述したフォームメニュー、外部リンクまたは外部ページへのリンクを記述した外部リンクメニュー、ソーシャルメディアの種別の選択メニューを記述したシェアメニューを含む。なお、プロモーション画面は、仮想コンテンツに加え、紹介メニュー、クーポンメニュー、フォームメニュー、外部リンクメニュー、シェアメニューの少なくとも１つを含んでもよく、また、仮想コンテンツ、紹介メニュー、クーポンメニュー、フォームメニュー、外部リンクメニュー、シェアメニューの表示位置は固定ではない。
【００２８】
表示制御部１０３は、撮像部１０６によって撮像された映像を表示部１０４に表示するよう制御する。また、表示制御部１０３は、画面生成部１０２によって生成されたプロモーション画面と撮像部１０６によって撮像された映像を重畳して表示部１０４に表示するよう制御する。図４は、情報端末装置１００に表示する表示画面の一例を示す説明図である。情報端末装置１００の表示画面４３は、現実空間３１を撮像した映像に重畳してプロモーション画面である仮想コンテンツ４４、クーポンメニュー４５、フォームメニュー４６、外部リンクメニュー４７、シェアメニュー４８、紹介メニュー４９を表示する。
【００２９】
表示部１０４は、液晶ディスプレイや有機ＥＬパネル等のディスプレイであり、表示制御部１０３からの制御に従って各種の情報を表示する。
【００３０】
入力部１０５は、スマートフォンやタブレット型コンピュータであれば、ディスプレイと重畳されているタッチセンサであり、ディスプレイに表示されたアイコン、ボタン、文字入力領域等の所定領域になされた入力を検出する。パーソナルコンピュータであればキーボードやマウス、タッチパッド等であり、キーボードやマウス、タッチパッド等からの入力を受付ける。
【００３１】
位置情報取得部１０７は、ＧＰＳ（Ｇｌｏｂａｌ  Ｐｏｓｉｔｉｏｎｉｎｇ  Ｓｙｓｔｅｍ）衛星からの位置情報を受信し、情報端末装置１００の位置情報を取得する。位置情報を取得する方法は、ＧＰＳが一般的であるがこれに限定するものではない。
【００３２】
スピーカ１０８は、仮想コンテンツが音声データの場合に音声を出力する。マイク１０９は、現実空間に存在する音声を音声データに変換して取得する。具体的には、起因コンテンツが音声の場合、マイク１０９によって録音された音声を音声データに変換して取得する。
【００３３】
履歴情報記憶部１１０は、仮想コンテンツを再生したプロモーション情報を履歴情報として記憶する。履歴情報記憶部１１０は、プロモーション情報に加え、再生した日時や再生した位置情報等を記憶してもよい。
【００３４】
上述のように構成された情報提示システム１０で実行する、現実空間に存在する起因コンテンツを起因として仮想コンテンツを再生する情報提示処理について説明する。図５は、情報端末装置１００とサーバ装置２００が実行する情報提示処理手順を示すフローチャートである。
【００３５】
情報端末装置１００の撮像部１０６は、起因コンテンツを含む起因データを取得する（ステップＳ５０１）。なお、起因コンテンツが平面物、立体物、動作、動画の場合は、撮像部１０６で起因コンテンツを含む起因データとして静止画データまたは動画データを取得するが、起因コンテンツが音声の場合はマイク１０９で起因データとして音声データを取得し、起因コンテンツが位置情報の場合は位置情報取得部１０７で起因データとして位置情報を取得する。送受信部１０１は、取得された起因データをサーバ装置２００に送信する（ステップＳ５０２）。
【００３６】
サーバ装置２００において、送受信部２０１は起因データを受信する（ステップＳ５０３）。プロモーション情報取得部２０２は、起因データに含まれる起因コンテンツに対応するプロモーション情報を拡張現実情報記憶部２１０から取得する（ステップＳ５０４）。具体的には、情報端末装置１００から送信された起因データの一部または全部が合致する起因コンテンツ（より具体的には、起因コンテンツの静止画データ、動画データ、音声データ、位置情報）を拡張現実情報記憶部２１０から検索し、検索された起因コンテンツに対応付けられたプロモーション情報を拡張現実情報記憶部２１０から取得する。送受信部２０１は、プロモーション情報を情報端末装置１００に送信する（ステップＳ５０５）。
【００３７】
情報端末装置１００において、送受信部１０１はプロモーション情報を受信する（ステップＳ５０６）。画面生成部１０２は、プロモーション情報からプロモーション画面を生成する（ステップＳ５０７）。表示制御部１０３は、プロモーション画面を撮像部１０６によって撮像された映像に重畳して表示部１０４に表示する（ステップＳ５０８）。仮想コンテンツが２次元動画の場合は、図４の表示画面４３に示すように現実空間の映像に重畳して仮想コンテンツを表示する。さらに、仮想コンテンツに再生・停止・拡大ボタンをつけて表示してもよい。
【００３８】
表示制御部１０３は、仮想コンテンツを再生する（ステップＳ５０９）。なお、仮想コンテンツの再生は、現実空間を撮像している映像に起因コンテンツが含まれなくなった場合でも再生し、停止しないが、起因コンテンツが撮像している映像に含まれるか否かの判断を加え、起因コンテンツが撮像している映像に含まれなくなった場合に再生を停止または仮想コンテンツが消えるよう制御してもよい。また、情報端末装置１００から起因コンテンツの距離や情報端末装置１００に対する起因コンテンツの向きを撮像する映像から判断し、その距離や向きに応じて仮想コンテンツを変化させてもよい。
【００３９】
表示制御部１０３は、仮想コンテンツを終了するか否かを判断する（ステップＳ５１０）。仮想コンテンツを終了するか否かは、動画の再生の終了や、仮想コンテンツのプログラムの実行を終了させるボタンの指示、紹介メニュー等の他のメニューの指示等で判断する。仮想コンテンツを終了しないと判断した場合は（ステップＳ５１０：Ｎｏ）、ステップＳ５０９に進む。仮想コンテンツを終了すると判断した場合は（ステップＳ５１０：Ｙｅｓ）、表示制御部１０３は、プロモーション情報を履歴情報記憶部１１０に記憶する（ステップＳ５１１）。画面生成部１０２は、プロモーション情報に対応付けられたお勧めのプロモーション情報からお勧めコンテンツの選択画面を生成する（ステップＳ５１２）。プロモーション情報に対応付けられたお勧めのプロモーション情報は、ステップＳ５０２で起因コンテンツに対応するプロモーション情報とともに取得し、ステップＳ５０６でプロモーション情報とともに受信しても、仮想コンテンツの終了時にサーバ装置２００の拡張現実情報記憶部２１０を検索し、受信してもよい。
【００４０】
表示制御部１０３は、お勧めコンテンツの選択画面を表示する（ステップＳ５１３）。図６は、情報端末装置１００に表示するお勧めコンテンツの選択画面の一例を示す説明図である。図６に示すように、表示画面６３にお勧めコンテンツ６４を現実空間の映像に重畳して表示する。お勧めコンテンツ６４は、プロモーション情報にタイトル、説明を含んでいる場合、タイトル、説明を表示してもよい。お勧めコンテンツ６４は、図２に示すように、拡張現実情報記憶部２１０に記憶されたプロモーション情報に対応付けたお勧めのプロモーション情報から生成される。
【００４１】
このように、仮想コンテンツを含むプロモーション情報をサーバ装置上のデータベースで管理し、情報端末装置１００において起因コンテンツを取得した場合、起因コンテンツに対応するプロモーション情報を情報端末装置１００に送信し、仮想コンテンツを再生するとともに、広告宣伝、情報収集に適したメニューも画面上に表示されるため、企業はデータベースに所定のデータを準備するだけで容易にＡＲ技術を利用した広告宣伝、情報収集を実施することができる。
【００４２】
また、再生するプロモーション情報に対応付けられたお勧めのプロモーション情報を、仮想コンテンツを再生した後に提示することによって、仮想コンテンツの提供者がユーザに提供したいプロモーション情報を次々と提示することができるため、より効果的な広告宣伝が可能となる。
【００４３】
情報提示システム１０で実行する履歴情報を用いた情報提示処理について説明する。図７は、情報端末装置１００が実行する情報提示処理手順を示すフローチャートである。
【００４４】
入力部１０５は、画面に表示された履歴メニューの入力を受付ける（ステップＳ７０１）。具体的には、図３に示す履歴メニュー３５をユーザが指示することによって、入力部１０５は履歴メニューの入力を受付ける。画面生成部１０２は、履歴情報、すなわちユーザが過去に再生した仮想コンテンツを含むプロモーション情報を履歴情報記憶部１１０から取得する（ステップＳ７０２）。画面生成部１０２は、履歴情報記憶部１１０から取得したプロモーション情報から選択画面を生成する（ステップＳ７０３）。表示制御部１０３は、選択画面を表示部１０４に表示する（ステップＳ７０４）。図８は、情報端末装置１００に表示する履歴情報の選択画面の一例を示す説明図である。図８に示すように、プロモーション情報から生成した履歴情報８４を表示画面８３に表示する。履歴情報８４は、プロモーション情報にタイトル、説明を含んでいる場合、タイトル、説明を表示してもよい。入力部１０５は、選択画面から履歴情報の指示を受付ける（ステップＳ７０５）。
【００４５】
画面生成部１０２は、指示された履歴情報からプロモーション画面を生成する（ステップＳ７０６）。表示制御部１０３は、プロモーション画面を撮像部１０６によって撮像された映像に重畳して表示部１０４に表示する（ステップＳ７０７）。以下のステップＳ７０８〜ステップＳ７１１の処理は、図５で示したステップＳ５０９〜ステップＳ５１３と同様であるので、ここでの説明は省略し、ステップＳ５０９〜ステップＳ５１３の説明を参照する。
【００４６】
上述の処理では、情報端末装置１００の履歴情報記憶部１１０に記憶したプロモーション情報から履歴情報を選択する画面を生成したが、履歴情報記憶部１１０をサーバ装置２００に備え、履歴メニューの入力を受付けたときにサーバ装置２００の履歴情報記憶部からユーザごとに履歴情報として記憶されているプロモーション情報を取得し、履歴情報を選択する画面を生成してもよい。また、図８に示す履歴情報の選択画面では、履歴情報にブックマークを付す機能やキーワード等で検索する機能を加えてもよい。
【００４７】
従来のＡＲ技術では、起因コンテンツが現実空間に存在し、さらに情報端末装置１００で起因コンテンツを取得しなければ仮想コンテンツを再生できなかった。しかし、本実施形態では起因コンテンツを取得して再生した仮想コンテンツを含むプロモーション情報を履歴情報記憶部１１０に記憶する。これによって、一度取得して再生した仮想コンテンツを含むプロモーション情報は、再度起因コンテンツを取得する手間を掛けることなく、ユーザが好きなときに起因コンテンツを必要とせず再生することができる。
【００４８】
次に、情報提示システム１０で実行するプロモーション情報をソーシャルメディアにシェアする際のシェア情報生成処理について説明する。図９は、情報端末装置１００とサーバ装置２００が実行するシェア情報生成処理手順を示すフローチャートである。
【００４９】
入力部１０５は、表示画面に表示されたシェアメニューの指示を受付ける（ステップＳ９０１）。具体的には、図４に示すシェアメニュー４８の指示を受付けると、ソーシャルメディアの種別をプルダウンメニューで表示する。入力部１０５は、表示画面に表示されたプルダウンメニューからソーシャルメディアの種別の入力を受付ける（ステップＳ９０２）。具体的には、Ｆａｃｅｂｏｏｋ（登録商標）やＴｗｉｔｔｅｒ（登録商標）、ＬＩＮＥ（登録商標）、その他のソーシャルメディアのいずれかを選択する。送受信部１０１は、プロモーションページの生成指示をサーバ装置２００に送信する（ステップＳ９０３）。
【００５０】
サーバ装置２００において、送受信部２０１は、情報端末装置１００から送信されたプロモーションページの生成指示を受信する（ステップＳ９０４）。プロモーションページ生成部２０３は、プロモーションページの生成を指示されたプロモーション情報に基づきプロモーションページを生成する（ステップＳ９０５）。図１０は、サーバ装置２００で生成するプロモーションページの一例を示す説明図である。図１０に示すように、プロモーションページ１１は、起因コンテンツ１２とお勧めコンテンツ１３を含み、起因コンテンツ１２およびお勧めコンテンツ１３のいずれかの領域をウェブページ上で指示すれば、対応する仮想コンテンツを含むプロモーション画面が生成され、表示するプログラムが動作する。プロモーションページ１１の生成のもとであるプロモーション情報、お勧めコンテンツ１３に対応するプロモーション情報に、タイトル、説明を含んでいる場合、タイトル、説明をそれぞれに表示してもよい。なお、プロモーションページ１１上の起因コンテンツ１２は、プロモーション画面を生成・表示するプログラムを動作させるための目印であるが、図１０に示すような起因コンテンツのサムネイルに代えて、ボタンやテキスト等であってもよい。また、お勧めのコンテンツ１３は必ずしもプロモーションページに表示する必要はなく、１つも含まなくてもよい。
【００５１】
なお、予め設定されているプロモーションページの生成条件に応じて仮想コンテンツを含めたプロモーションページを生成してもよい。図１１は、サーバ装置２００で生成する仮想コンテンツを含むプロモーションページの一例を示す説明図である。図１１のプロモーションページ１１は、起因コンテンツ１２とお勧めプロモーション情報１３に加え仮想コンテンツ１４を含む。なお、仮想コンテンツ１４の領域をウェブページ上で指示すればウェブページ上で仮想コンテンツを再生する。図１１のプロモーションページ１１も図１０のプロモーションページと同様に、プロモーションページ１１上の起因コンテンツ１２は、プロモーション画面を生成・表示するプログラムを動作させるための目印であるが、起因コンテンツのサムネイルに代えて、ボタンやテキスト等であってもよい。また、お勧めのコンテンツ１３は必ずしもプロモーションページに表示する必要はなく、１つも含まなくてもよい。
【００５２】
プロモーションページ生成部２０３は、生成したプロモーションページをプロモーションページ記憶部２２０に格納する（ステップＳ９０６）。送受信部２０１は、プロモーションページの格納先であるプロモーションページのＵＲＬを情報端末装置１００に送信する（ステップＳ９０７）。
【００５３】
情報端末装置１００において、送受信部１０１は、サーバ装置２００から送信されたプロモーションページのＵＲＬを受信する（ステップＳ９０８）。送受信部１０１は、ソーシャルメディアにプロモーションページのＵＲＬを含むシェア情報を送信する（ステップＳ９０９）。なお、シェア情報として、プロモーションページのＵＲＬとともに、ユーザによって入力されたコメントを加えて送信してもよい。
【００５４】
他の実施例として、プロモーションページ記憶部２２０に記憶するプロモーションページは、プロモーション情報を入力する際に、生成条件に従って生成してもよい。その場合、ステップＳ９０３〜ステップＳ９０６の処理は、情報端末装置１００は、プロモーション情報に対応するプロモーションページのＵＲＬの要求をサーバ装置２００に送信し、サーバ装置２００では、プロモーション情報に対応するプロモーションページをプロモーションページ記憶部２２０から取得し、取得したプロモーションページのＵＲＬを情報端末装置１００に送信する。
【００５５】
なお、起因コンテンツを含む起因データを画像データや音声データとして取得する場合、画像データや音声データに代えて、画像または音声から抽出された特徴点を表わすデータ（以下、特徴点データという）を取得してもよい。この場合、拡張現実情報記憶部２１０に記憶された起因コンテンツも特徴点データとし、起因データと起因コンテンツの特徴点データ同士を照合することによって起因コンテンツを検索する。
【００５６】
このように、ユーザは再生した仮想コンテンツを気に入りソーシャルメディアでシェアする場合、起因コンテンツを含めたプロモーションページを生成またはプロモーションページ記憶部２２０に格納されているプロモーションページを取得し、生成または取得したプロモーションページのＵＲＬをソーシャルメディアに送信することによってシェアした他のユーザの手元に起因コンテンツがない場合であってもウェブページの起因コンテンツから仮想コンテンツを再生することが可能となる。これにより、ソーシャルメディアのシェア機能を活用して広く広告・宣伝の内容を拡散することができる。
【００５７】
なお、上述した情報提示処理を実行するプログラムをダウンロード可能なアプリケーションプログラム（以下、ＡＲアプリという）として提供する場合であって、かつ、シェア情報が表示された情報端末装置にＡＲアプリがダウンロードされていない場合は、画面上に表示された起因コンテンツをＡＲアプリがダウンロードされた情報端末装置１００で撮像等することによって、ＡＲアプリがダウンロードされた情報端末装置１００に起因コンテンツに対応するプロモーション画面を生成し、表示することができる。また、ＡＲアプリがダウンロードされていない情報端末装置には、ＡＲアプリのダウンロードを促してもよい。
【００５８】
また、図１１に示したように仮想コンテンツもプロモーションページに含めることによって起因コンテンツを取得する手間もＡＲアプリをダウンロードする手間もなく、より容易に仮想コンテンツを再生することができ、さらに広く広告、宣伝の内容を拡散することができる。
【００５９】
他の実施例として、ウェブページに、起因コンテンツの画像データを含み、その画像データを指示することによって起因コンテンツに対応する仮想コンテンツを含んだプロモーション画面を表示するプログラムを起動させてもよい。起因コンテンツの画像データは、プロモーション画面を生成・表示するプログラムを動作させるための目印であるが、起因コンテンツの画像データに代えて、ボタンやテキスト等であってもよい。また、ウェブページに、起因コンテンツに対応する仮想コンテンツをそのまま掲載して再生できるようにしてもよい。これにより、自社のウェブサイト等においてもＡＲ技術を使用した広告宣伝を実施することができる。なお、上述の情報提示処理を実行するプログラムをＡＲアプリとして提供する場合であって、かつ、ウェブページを表示する情報端末装置にＡＲアプリがダウンロードされていない場合は、画面上に表示された起因コンテンツの画像データを、他のＡＲアプリがダウンロードされた情報端末装置１００で撮像等することによって、ＡＲアプリがダウンロードされた情報端末装置１００に起因コンテンツに対応するプロモーション画面を生成し、表示することができる。また、ＡＲアプリがダウンロードされていない情報端末装置にＡＲアプリのダウンロードを促してもよい。
【００６０】
情報端末装置１００、サーバ装置２００は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等を備えた通常のコンピュータであり、ＲＯＭやＲＡＭに記憶されたプログラムを動作させることによって、上述した構成や機能を実現する。あるいはワイヤードロジックによるハードウェアとしても実現されうる。
【００６１】
情報端末装置１００、サーバ装置２００で動作するプログラムは、インターネット等の通信ネットワークに接続されたコンピュータに格納しておき、ネットワーク経由でダウンロードさせることにより提供したり、ＳａａＳ（Ｓｏｆｔｗａｒｅ  ａｓ  ａ  Ｓｅｒｖｉｃｅ）等のようなクラウドコンピューティングサービスとして提供しても、ＡＰＩ（Ａｐｐｌｉｃａｔｉｏｎ  Ｐｒｏｇｒａｍｍｉｎｇ  Ｉｎｔｅｒｆａｃｅ）で提供してもよい。また、インストール可能な形式又は実行可能な形式のファイルでＣＤ−ＲＯＭ、ＤＶＤ等のコンピュータで読取り可能な記録媒体に記録して提供してもよい。
【００６２】
なお、上述した各装置の各構成要素は、機能概念的なものであり、必ずしも物理的に図示されているように構成されていることを要しない。すなわち、各装置の具体的な実施では図示のものに限られず、その全部または一部を負荷や使用状況などに応じて任意の単位で機能的または物理的に分散・統合して構成することができる。
【００６３】
また、上述した各装置の各構成要素は、実施段階でその要旨を逸脱しない範囲で変形して具体化することができる。上述した実施例に開示されている複数の構成要素は適宜組み合わせてもよく、上述した実施例に示される構成要素からいくつかの構成要素を削除してもよい。なお、上記実施形態においては、シェア用アプリケーションとしてソーシャルメディアのシェア機能を適用したが、これに換えてメッセージアプリケーション、メールアプリケーションを適用することも可能である。
【符号の説明】
【００６４】
Ｎ…ネットワーク、１０…情報提示システム、１００…情報端末装置、１０１…送受信部、１０２…画面生成部、１０３…表示制御部、１０４…表示部、１０５…入力部、１０６…撮像部、１０７…位置情報取得部、１０８…スピーカ、１０９…マイク、１１０…履歴情報記憶部、２００…サーバ装置、２０１…送受信部、２０２…プロモーション情報取得部、２０３…プロモーションページ生成部、２１０…拡張実現情報記憶部、２２０…プロモーションページ記憶部
【図１】
2020198102.tif 000003
【図２】
2020198102.tif 000004
【図３】
2020198102.tif 000005
【図４】
2020198102.tif 000006
【図５】
2020198102.tif 000007
【図６】
2020198102.tif 000008
【図７】
2020198102.tif 000009
【図８】
2020198102.tif 000010
【図９】
2020198102.tif 000011
【図１０】
2020198102.tif 000012
【図１１】
2020198102.tif 000013